(57)【要約】【課題】梯子、脚立や三脚等の支柱間に複数の踏桟を有する昇降器具に着脱自在に取り付けられ、長さの異なる踏桟にも取り付け可能で、踏面のどの場所に乗っても安定して作業ができる踏桟幅拡張器具を提供すること。【解決手段】略矩形状の踏板部と、前記踏板部の両長辺からそれぞれ略垂直下方に延出する１対の側板部と、前記１対の側板部の延出下辺からそれぞれ略垂直に互いに近接する方向に延出する１対の突片部と、を有する第１踏台２０と、前記第１踏台２０の長手方向の端部に設けられた第１当接支持部２１と、前記第１踏台２０の内部を長手方向に摺動自在な第２踏台３０と、前記第２踏台３０の長手方向の端部に設けられた第２当接支持部３１と、前記第１踏台２０及び前記第２踏台３０の相互の摺動を係止する摺動係止手段４０と、を具備する。【選択図】図１
2019078110.tif 000002
【特許請求の範囲】
【請求項１】
２本の支柱と、前記２本の支柱の間に架設された複数の踏桟とを有する昇降器具に着脱自在に取り付けられる踏桟幅拡張器具であって、
前記複数の踏桟の１つに取り付けられ、長手方向の長さが前記踏桟の長さより短く、短手方向の長さが前記踏桟の幅より広い略矩形状の第１踏板部と、前記第１踏板部の両長辺からそれぞれ略垂直下方に延出する第１前側板部及び第１後側板部と、前記第１前側板部及び前記第１後側板部の延出下辺からそれぞれ略垂直に互いに近接する方向に延出して間に前記踏桟の幅より広い第１長手方向開口部を形成する第１前突片部及び第１後突片部と、を有する第１踏台と、
前記第１踏台の長手方向の端部に設けられ、前記２本の支柱の一方に当接する第１当接支持部と、
略矩形状の第２踏板部と、前記第２踏板部の両長辺からそれぞれ略垂直下方に延出する第２前側板部及び第２後側板部と、前記第２前側板部及び前記第２後側板部の延出下辺からそれぞれ略垂直に互いに近接する方向に延出して間に前記踏桟の幅より広い第２長手方向開口部を形成する第２前突片部及び第２後突片部と、を有し、前記第２踏板部、前記第２前側板部及び前記第２後側板部、並びに前記第２前突片部及び前記第２後突片部は、それぞれ前記第１踏台の内側で前記第１踏板部、前記第１前側板部及び前記第１後側板部、並びに前記第１前突片部及び前記第１後突片部に摺接し、前記第１踏台の内部を長手方向に摺動自在な第２踏台と、
前記第２踏台の長手方向の端部に設けられ、前記２本の支柱の他方に当接する第２当接支持部と、
前記第１後側板部及び前記第２後側板部、並びに前記第１前側板部及び前記第２前側板部の少なくとも一方に設けられた前記第１踏台及び前記第２踏台の相互の摺動を係止する摺動係止手段と、
を有することを特徴とする踏桟幅拡張器具。
【発明の詳細な説明】
【技術分野】
【０００１】
本発明は、梯子、脚立や三脚等の、２本の支柱とその間に架設される複数の踏桟とを有する昇降器具に着脱自在に取り付けられ、踏桟の幅を拡張する踏桟幅拡張器具に関する。
【背景技術】
【０００２】
手の届かないような高所作業を行う際、梯子や脚立を配設して、その上に作業者が上って作業を行うが、一般的に梯子や脚立の踏桟の幅は狭いため、踏桟の上では作業者が安定した姿勢を保つことが難しく、足元が不安定なまま作業をするのは作業能率が上がらず、また、作業中に踏桟を踏み外して転倒してしまうというような危険性もある。
【０００３】
上記のような事情に対応するために、梯子に着脱自在に取り付けられ、安定して作業をするのに十分な踏面が得られるように踏桟の幅を拡張する器具がこれまでに提案されている。例えば、特許文献１には、先端にフックが形成されている２本の棒状アーム体と、２本の棒状アーム体のそれぞれに回動自在に取り付けられたＬ字状の棒状支持体と、２本の棒状支持体の長辺部に支持される踏み板とを有する梯子用足踏み台が開示されている。この梯子用足踏み台は、２本の棒状アーム体のフックによって梯子の踏桟に引っ掛けて取り付けられ、十分な踏面を有する踏み板の上で作業が行えるというものである。また、特許文献２には、梯子の支柱に当接可能な突当て部を両側面に具備した足場本体と、足場本体の下面に前後動可能に設けられたフック体と、そのフック体を進退させる操作手段とを有する補助足場が開示されている。この補助足場は、梯子の踏桟にフック体を引っ掛けて、操作手段によってフック体を進退させて足場本体側面の突当て部を梯子の支柱に当接させることによって取り付けられ、十分な踏面を有する足場本体の上で作業が行えるというものである。
【先行技術文献】
【特許文献】
【０００４】
【特許文献１】特開２００７−０３２１３３号公報
【特許文献２】特開平０９−２０３２０３号公報
【発明の概要】
【発明が解決しようとする課題】
【０００５】
上記の特許文献１に開示されている梯子用足踏み台は、２本の棒状アーム体のフックによって梯子の踏桟に取り付けられており、踏桟の長さを問わずに取り付けられるものの、踏み板はその２本の棒状アーム体にそれぞれ回動自在に取り付けられたＬ字状の棒状支持体の長辺部に載置された形で支持されているため、作業者が踏み板の上で作業をする際、踏み板を支える２本の棒状支持体の間の領域から外れて、踏み板の端部に体重を掛けてしまった場合、遠い方の棒状アーム体のフックが踏桟から浮いたり外れてしまったりして転倒する危険性がある。また、特許文献２に開示されている補助足場は、梯子の踏桟に足場本体の下部のフックを引っ掛けて操作手段によってフックを進退させて足場本体の側面の突当て部を梯子の支柱に当接させて取り付けられるため安定しているが、踏桟の長さが長い場合、足場本体の両側面の突当て部間の長さが足りずに支柱に突き当てられず、また、踏桟の長さが短い場合は、足場本体が入らず取り付けられず、特定の踏桟の長さの梯子にしか取り付けられないという問題点がある。
【０００６】
本発明は上記事情に鑑みてなされたものであって、梯子、脚立や三脚等の支柱間に複数の踏桟を有する昇降器具に着脱自在に取り付けられ、長さの異なる踏桟にも取り付け可能で、踏面のどの場所に乗っても安定して作業ができる踏桟幅拡張器具を提供することを目的とするものである。
【課題を解決するための手段】
【０００７】
上記課題を解決するために本発明に係る踏桟幅拡張器具は、２本の支柱と、前記２本の支柱の間に架設された複数の踏桟とを有する昇降器具に着脱自在に取り付けられる踏桟幅拡張器具であって、前記複数の踏桟の１つに取り付けられ、長手方向の長さが前記踏桟の長さより短く、短手方向の長さが前記踏桟の幅より広い略矩形状の第１踏板部と、前記第１踏板部の両長辺からそれぞれ略垂直下方に延出する第１前側板部及び第１後側板部と、前記第１前側板部及び前記第１後側板部の延出下辺からそれぞれ略垂直に互いに近接する方向に延出して間に前記踏桟の幅より広い第１長手方向開口部を形成する第１前突片部及び第１後突片部と、を有する第１踏台と、前記第１踏台の長手方向の端部に設けられ、前記２本の支柱の一方に当接する第１当接支持部と、略矩形状の第２踏板部と、前記第２踏板部の両長辺からそれぞれ略垂直下方に延出する第２前側板部及び第２後側板部と、前記第２前側板部及び前記第２後側板部の延出下辺からそれぞれ略垂直に互いに近接する方向に延出して間に前記踏桟の幅より広い第２長手方向開口部を形成する第２前突片部及び第２後突片部と、を有し、前記第２踏板部、前記第２前側板部及び前記第２後側板部、並びに前記第２前突片部及び前記第２後突片部は、それぞれ前記第１踏台の内側で前記第１踏板部、前記第１前側板部及び前記第１後側板部、並びに前記第１前突片部及び前記第１後突片部に摺接し、前記第１踏台の内部を長手方向に摺動自在な第２踏台と、前記第２踏台の長手方向の端部に設けられ、前記２本の支柱の他方に当接する第２当接支持部と、前記第１後側板部及び前記第２後側板部、並びに前記第１前側板部及び前記第２前側板部の少なくとも一方に設けられた前記第１踏台及び前記第２踏台の相互の摺動を係止する摺動係止手段と、を有することを特徴とする。
【発明の効果】
【０００８】
本発明に係る踏桟幅拡張器具は、２本の支柱と、２本の支柱の間に架設された複数の踏桟とを有する昇降器具の踏桟の１つに取り付けられる第１踏台と、第１踏台の長手方向の端部に設けられて２本の支柱の一方に当接する第１当接支持部と、第１踏台の内部を長手方向に摺動自在な第２踏台と、第２踏台の長手方向の端部に設けられて２本の支柱の他方に当接する第２当接支持部と、第１踏台及び第２踏台の相互の摺動を係止する摺動係止手段と、を有するので、第１踏台及び第２踏台を相互に摺動、係止させることができ、第１当接支持部と第２当接支持部との間の距離を自在に伸縮させることができる。そのため、支柱の幅及びその間に架設されている踏桟の長さが特定のものに限らず様々な長さの場合でも取り付けることができる。また、その取り付けは、第１踏台及び第２踏台が第１長手方向開口部及び第２長手方向開口部を介して踏桟の上面に第１踏板部及び第２踏板部が載置されるようにして取り付けられ、両端部の第１当接支持部及び第２当接支持部をそれぞれ支柱に当接させて取り付けるので、第１踏板部及び第２踏板部によって踏桟の上面の全面が覆われて、踏桟の長さはそのままに幅が拡張されたようになるため、元の踏桟の踏面より広い面積の踏面を提供できる。また、第１踏板部及び第２踏板部にかかる荷重は、両端部の第１当接支持部及び第２当接支持部と、下面の長手方向にわたる踏桟とによって支えられるため、作業者が踏面である第１踏板部及び第２踏板部の上面のどの場所に乗っても安定して作業ができる。また、第１踏台の第１踏板部及び第１前側板部及び第１前突片部並びに第２踏台の第２踏板部及び第２前側板部及び第２前突片部、または第１踏台の第１踏板部及び第１後側板部及び第１後突片部並びに第２踏台の第２踏板部及び第２後側板部及び第２後突片部はそれぞれ略コ字状のフック状になっているため、踏桟への取り付け時にはそのフック状の部分が踏桟に横から引っ掛けて掛止されたような形になるので外れにくく安全である。
【図面の簡単な説明】
【０００９】
【図１】本発明の実施形態に係る踏桟幅拡張器具を示す斜視図である。（Ａ）は組立図で、（Ｂ）は分解図である。
【図２】本発明の実施形態に係る踏桟幅拡張器具が脚立の踏桟の１つに取り付けられた様子を示す斜視図である。
【図３】図２のＣ−Ｃ断面を示す側面図である。
【図４】本発明の実施形態に係る踏桟幅拡張器具が脚立の異なる長さの踏桟に取り付けられた様子を示す斜視図である。
【発明を実施するための形態】
【００１０】
本発明の最良の実施形態について、以下、図に基づいて説明する。図２には、本実施形態に係る踏桟幅拡張器具１０を脚立９０に取り付けた例を示している。脚立９０は、上方になるほど間隔が狭くなる略ハ字形状に配設された２本の支柱９１と、その間に架設された複数の踏桟９２とを有する梯子体を、２台両側から合わせて上部を連結し、その連結部を支点として下部が開閉可能で自立可能な昇降器具である。踏桟幅拡張器具１０は、脚立９０の踏桟９２の１つに対して着脱自在に取り付けられ、図１に示すように、一端側に支柱９１の一方に当接する第１当接支持部２１を備えた第１踏台２０と、一端側を第１踏台２０の他端側に摺動自在に嵌挿されて、他端側に支柱９１の他方に当接する第２当接支持部３１を備えた第２踏台３０と、第１踏台２０及び第２踏台３０の相互の摺動を係止する摺動係止部４０と、を有する。
【００１１】
第１踏台２０には、断面略Ｃ字形状の長手状部材であるリップ溝形鋼を用いている。長手方向の長さが踏桟９２の長さより短く、短手方向の長さが踏桟９２の幅よりも長い略矩形板状の第１踏板部２０ａと、第１踏板部２０ａの両長辺からそれぞれ略垂直下方に延出する第１前側板部２０ｂ１及び第１後側板部２０ｂ２と、第１前側板部２０ｂ１及び第１後側板部２０ｂ２の延出下辺からそれぞれ略垂直に互いに近接する方向に延出する第１前突片部２０ｃ１及び第１後突片部２０ｃ２と、を有し、第１前突片部２０ｃ１及び第１後突片部２０ｃ２間には踏桟９２の幅よりも広い第１長手方向開口部２０ｄが形成されている。ここではリップ溝形鋼を用いたが、一枚板等から同様の形状に形成してもよい。
【００１２】
第１踏台２０の長手方向の端部の一方には、脚立９０への取り付け時に支柱９１と当接する第１当接支持部２１が備えられている。第１当接支持部２１は、断面略矩形の長手状部材である角形鋼管を用い、一端側が第１踏板部２０ａの長手方向の端部の内側の第１前側板部２０ｂ１側に固定され、他端側が第１長手方向開口部２０ｄに向かって張り出すように延出している。その他端側の端部の当接面２１ａは平板で蓋がされており、図３に示すように、当接面２１ａと第１踏板部２０ａとのなす角αは略７５度となっている。図２、図３に示すように、第１踏台２０が踏桟９２に取り付けられる際、第１当接支持部２１が当接面２１ａで支柱９１の一本に当接するため、第１当接支持部２１と支柱９１が当接できるように、第１踏台２０の第１当接支持部２１が固定されている端部には第１後側板部２０ｂ２側に第１当接支持部２１の幅の切り欠きが設けられている。
【００１３】
本実施形態では、当接面２１ａと第１踏板部２０ａとのなす角αを略７５度としたが、これは、本実施形態の脚立９０の昇降面の地面に対する角度β、つまり図３における支柱９１と水平面とのなす角βが７５度のものを用いているからである。日本工業規格（ＪＩＳ）のＪＩＳ  Ｓ１１２１に、脚立の昇降面及び背面の地面に対する傾斜角度は７５度以下とすることが規定されており、労働安全衛生規則第５２８条にも脚立の脚と水平面との角度は７５度以下とすることが定められている。また、壁等に立て掛けて用いる梯子についても一般的に地面と昇降面との角度が７５度前後となるように立て掛けることが最も安全であることが知られている。そのため、一般的な梯子や脚立の昇降面に対する地面に対する角度は７５度付近で用いられるものが多いと考えられるので、脚立９０の昇降面の地面に対する角度βは７５度としている。なす角αと、脚立９０の昇降面の地面に対する角度βが略同じになっていれば、図３に示すように、第１踏台２０を踏桟９２に取り付けて第１当接支持部２１を支柱９１に当接させた際に第１踏板部２０ａが略水平となる。従って、なす角αは用いる脚立の昇降面の地面に対する角度βによってその角度βと略等しくなるように適宜変更してもよい。好ましくは６５度から７５度までの範囲である。
【００１４】
本実施形態では第１当接支持部２１として角形鋼管を用いたが、それに限らず、丸鋼やＬ形鋼等でもよい。端部の当接面２１ａは支柱９１と当接して第１踏板部２０ａに掛かる荷重を一部支えることになるので、当接面２１ａには平板を固定する等して平板状にする方がよい。また、第１踏板部２０ａの端部の内側に第１当接支持部２１の一端を固定したが、それに限らず、用いる第１当接支持部２１の大きさ等に応じて、第１前側板部２０ｂ１に固定したり、第１踏板部２０ａと第１前側板部２０ｂ１にまたがるように固定してもよい。また、第１踏台２０の長手方向の端部側面に固定するようにしてもよい。その場合は、第１踏台２０に切り欠きを設ける必要もなくなる。第１踏台２０の踏桟９２への取り付けを妨害せず、第１踏台２０が踏桟９２に取り付けられた際に支柱９１に当接できるようになっていればよい。
【００１５】
第２踏台３０にも、断面略Ｃ字形状の長手状部材であるリップ溝形鋼を用いている。第１踏台２０と同様に、長手方向の長さが踏桟９２の長さより短く、短手方向の長さが踏桟９２の幅よりも長い略矩形板状の第２踏板部３０ａと、第２踏板部３０ａの両長辺からそれぞれ略垂直下方に延出する第２前側板部３０ｂ１及び第２後側板部３０ｂ２と、第２前側板部３０ｂ１及び第２後側板部３０ｂ２の延出下辺からそれぞれ略垂直に互いに近接する方向に延出する第２前突片部３０ｃ１及び第２後突片部３０ｃ２と、を有し、第２前突片部３０ｃ１及び第２後突片部３０ｃ２間には踏桟９２の幅よりも広い第２長手方向開口部３０ｄが形成されている。第２踏台３０の長手方向の長さは、第１踏台２０の長手方向の長さと略同じ長さになっており、また、第２踏台３０の第２長手方向開口部３０ｄの幅は、第１踏台２０の第１長手方向開口部２０ｄと略同じ幅となっている。ここでは、第２踏台３０の長手方向の長さを第１踏台２０の長手方向の長さと略同じとしているが、異なる長さにしてもよい。また、第１長手方向開口部２０ｄ及び第２長手方向開口部３０ｄの幅は、踏桟９２の幅よりも広い必要がある。日本工業規格（ＪＩＳ）では、ＪＩＳ  Ｓ１１２１に、踏桟の昇降面に対する奥行き、つまり踏桟の幅は、梯子が２０ｍｍ以上、脚立が３０ｍｍ以上とすることが規定されており、また、一般社団法人仮設工業会による仮設機材認定基準では脚立の踏桟の幅は５０ｍｍ以上とすることが規定されているため、第１長手方向開口部２０ｄ及び第２長手方向開口部３０ｄの幅は、最低でも２０ｍｍ以上である。好ましくは５０ｍｍ以上である。
【００１６】
第２踏台３０は、第１踏台２０の長手方向の第１当接支持部２１が備えられている側とは反対側の端部の第１断面側開口部２０ｅから、第２踏台３０の第２長手方向開口部３０ｄと第１踏台２０の第１長手方向開口部２０ｄとが同じ面になる向きで、第１踏台２０に嵌挿される。その状態において、第２踏台３０の第２踏板部３０ａ、第２前側板部３０ｂ１及び第２後側板部３０ｂ２、並びに第２前突片部３０ｃ１及び第２後突片部３０ｃ２は、それぞれ第１踏台２０の内側で、第１踏板部２０ａ、第１前側板部２０ｂ１及び第１後側板部２０ｂ２、並びに第１前突片部２０ｃ１及び第１後突片部２０ｃ２と摺接し、第２踏台３０は第１踏台２０の内部を長手方向に摺動自在になっている。
【００１７】
第２踏台３０の長手方向の第１踏台２０に嵌挿される側とは反対側の端部には、脚立９０への取り付け時に支柱９１と当接する第２当接支持部３１が備えられている。第２当接支持部３１は、第１当接支持部２１と同様に、断面略矩形の長手状部材である角形鋼管を用い、一端側が第２踏板部３０ａの長手方向の端部の内側の第２前側板部３０ｂ１側に固定され、他端側が第２長手方向開口部３０ｄに向かって張り出すように延出している。その他端側の端部の当接面３１ａは平板で蓋がされており、図３に示すように、当接面３１ａと第２踏板部３０ａとのなす角は、第１当接支持部２１の当接面２１ａと第１踏板部２０ａとのなす角αと等しく、略７５度である。図２、図３に示すように、第２踏台３０が踏桟９２に取り付けられる際、第２当接支持部３１が当接面３１ａで支柱９１の一本に当接するため、第２当接支持部３１と支柱９１が当接できるように、第２踏台３０の第２当接支持部３１が固定されている端部には第２後側板部３０ｂ２側に第２当接支持部３１の幅の切り欠きが設けられている。第２踏台３０及び第２当接支持部３１も、第１踏台２０及び第１当接支持部２１と同様に適宜変更可能である。
【００１８】
第１踏台２０及び第２踏台３０の相互の摺動は、摺動係止手段４０によって係止される。摺動係止手段４０は、第１踏台２０の第１後側板部２０ｂ２の第１断面側開口部２０ｅ側の端部付近に設けられたボルト孔４１と、第２踏台３０の第２後側板部３０ｂ２に設けられたボルト孔４１の直径と略同じ幅で長手方向に延びる横溝孔４２と、第１踏台２０に第２踏台３０を嵌挿した状態で、第２踏台３０の内側から横溝孔４２及びボルト孔４１を通して第１踏台２０の外側に挿通する低頭ボルト４５と、低頭ボルト４５に螺合する蝶ナット４６と、を有する。低頭ボルト４５は頭の厚さが薄いボルトである。蝶ナット４６は手で回せるように取っ手がついたナットである。蝶ナット４６を締めると第１踏台２０及び第２踏台３０の相互の摺動は係止され、蝶ナット４６を緩めると再び摺動させることができる状態になる。第１踏台２０及び第２踏台３０を摺動させる際、低頭ボルト４５は第２踏台３０の横溝孔４２を通ることができるので、低頭ボルト４５及び蝶ナット４６を第１踏台２０及び第２踏台３０から外す必要はない。
【００１９】
第１踏台２０及び第２踏台３０を摺動させることによって、第１踏台２０の端部に設けられた第１当接支持部２１及び第２踏台３０の端部に設けられた第２当接支持部３１の間の距離を調節することができる。横溝孔４２の長手方向の長さから低頭ボルト４５のネジ部の直径を引いた長さの距離が調節可能となっている。
【００２０】
本実施形態では、第１後側板部２０ｂ２にボルト孔４１、第２後側板部３０ｂ２に横溝孔４２を設けたが、第１後側板部２０ｂ２に横溝孔４２、第２後側板部３０ｂ２にボルト孔４１を設けるようにしてもよい。また、第１後側板部２０ｂ２及び第２後側板部３０ｂ２ではなく、第１前側板部２０ｂ１及び第２前側板部３０ｂ１に、ボルト孔４１及び横溝孔４２を設けるようにしてもよいし、その両側に設けてもよい。ただ、第１前側板部２０ｂ１及び第２前側板部３０ｂ１に設ける場合は、取り付け時に図３のように踏桟９２が邪魔にならないため、低頭ボルト４５ではなく、通常のボルトを用いてもよく、蝶ボルトとナットを用いてもよいが、昇降面に対して手前側の側面なので踏桟幅拡張器具１０への上り下りの際に低頭ボルト４５及び蝶ナット４６に足を引っ掛けてしまう可能性がある。また、ここでは蝶ナット４６を用いたが、通常のナットでもよい。ただ蝶ナット４６の方が手で回せて工具を必要としないので簡単である。
【００２１】
次に、本実施形態に係る踏桟幅拡張器具１０を脚立９０に取り付ける流れについて説明する。図２に示すように、脚立９０を目的の作業場所に配設する。そして、その作業場所に応じた高さの１つの踏桟９２に対して踏桟幅拡張器具１０を取り付ける。まず、第１当接支持部２１及び第２当接支持部３１の内側間の長さが取り付ける踏桟９２の長さより短くなるように、摺動係止手段４０の蝶ナット４６を緩めて第１踏台２０及び第２踏台３０を摺動させて長さを調節する。そして、第１長手方向開口部２０ｄ及び第２長手方向開口部３０ｄを介して第１踏板部２０ａ及び第２踏板部３０ａを踏桟９２の上に載置するようにして取り付ける。そして、第１踏台２０及び第２踏台３０を摺動させて長さを調節し、第１当接支持部２１及び第２当接支持部３１をそれぞれ支柱９１に当接させる。この時、第１踏台２０及び第２踏台３０をそれぞれ支柱９１の内側に当接させておくと、使用中に左右にずれることがないので安全である。あとは摺動係止手段４０の蝶ナット４６を締めて第１踏台２０及び第２踏台３０の摺動を係止すれば、踏桟幅拡張器具１０の脚立９０への取り付けは完了である。取り付けた踏桟幅拡張器具１０の第１踏板部２０ａ及び第２踏板部３０ａの上に作業者が乗って作業を行う。
【００２２】
踏桟幅拡張器具１０の第１踏台２０及び第２踏台３０が踏桟９２に取り付けられる際、第１後側板部２０ｂ２及び第２後側板部３０ｂ２側を２本の支柱９１の間に入れるような形になるので、第１踏台２０及び第２踏台３０を摺動させて第１当接支持部２１及び第２当接支持部３１の内側間の長さを最小になるように調節した時の長さが、支柱９１の内幅、つまりその間の踏桟９２の長さ以下となる必要がある。日本工業規格（ＪＩＳ）では、ＪＩＳ  Ｓ１１２１に、梯子の支柱内幅、つまり踏桟の長さは３００ｍｍ以上、脚立の最上段踏桟の支柱内幅は２８０ｍｍ以上とすることが規定されている。また、一般社団法人仮設工業会による仮設機材認定基準では脚立の踏桟の最上段の長さは３００ｍｍ以上、１段目の長さは５５０ｍｍ以下とすることが規定されている。そのため、第１当接支持部２１及び第２当接支持部３１の内幅間の長さを最小にした時の長さは、２８０ｍｍから５５０ｍｍの間の範囲であればよい。
【００２３】
本実施形態では、第１踏台２０及び第２踏台３０の長手方向の長さは略同じであり、第１当接支持部２１及び第２当接支持部３１の幅も略同じとしているため、第１当接支持部２１及び第２当接支持部３１の内幅間の長さを最小にした時の長さは、第１踏板部２０ａの第１断面側開口部２０ｅ端から第１当接支持部２１までの長手方向の長さ、つまり切り欠き後の第１後側板部２０ｂ２及び第１後突片部２０ｃ２の長手方向の長さと等しい。同様に切り欠き後の第２後側板部３０ｂ２及び第２後突片部３０ｃ２の長手方向の長さとも等しい。従って、第１当接支持部２１及び第２当接支持部３１の内幅間の長さを最大にした時に第１踏台２０及び第２踏台３０の重なり合う部分の長さを最低２０ｍｍ以上取るとした時、切り欠き後の第１後側板部２０ｂ２及び第１後突片部２０ｃ２並びに第２後側板部３０ｂ２及び第２後突片部３０ｃ２の長さが、１５０ｍｍから５５０ｍｍまでの範囲であればよい。また、２８５ｍｍから３００ｍｍまでの範囲にした場合は、一般社団法人仮設工業会による仮設機材認定基準を満たした脚立のどの踏桟にも取り付けられることになるため、より好ましい。
【００２４】
踏桟幅拡張器具１０が脚立９０に取り付けられた状態において、図２に示すように、第１踏板部２０ａ及び第２踏板部３０ａの幅は踏桟９２の幅よりも広く、踏桟９２の踏面の全面を覆うような形になっている。そして、図３に示すように、第１踏台２０の第１踏板部２０ａ及び第１後側板部２０ｂ２及び第１後突片部２０ｃ２、並びに第２踏台３０の第２踏板部３０ａ及び第２後側板部３０ｂ２及び第２後突片部３０ｃ２が形成している略コ字状のフック状の部分が踏桟９２に掛止されたような形になっている。そして、支柱９１に当接する第１当接支持部２１及び第２当接支持部３１によって、第１踏板部２０ａ及び第２踏板部３０ａの第１前側板部２０ｂ１及び第２前側板部３０ｂ１側が下から支えられる形になっている。そのため、踏桟９２の踏面の幅が昇降面に対して手前側に拡張されたようになっており、作業者が上に乗って安定して作業をするのに十分な踏面を提供できると共に、乗った際にその上段の踏桟が邪魔にならない。そして、もし作業者が、第１踏板部２０ａ及び第１踏板部３０ａの第１前側板部２０ｂ１及び第２前側板部３０ｂ１側の縁の方に体重を掛けたような場合においても、第１当接支持部２１及び第２当接支持部３１が第１踏板部２０ａ及び第１踏板部３０ａの第１前側板部２０ｂ１及び第２前側板部３０ｂ１側を支えており、また第１後突片部２０ｃ２及び第２後突片部３０ｃ２が踏桟９２に引っ掛かるため外れにくく安全である。また、強度が弱いと思われる踏桟幅拡張器具１０の長手方向の中間部においても、第１踏台２０及び第２踏台３０の一部が重なり合う構造のため強度も十分であり、第１踏板部２０ａ及び第２踏板部３０ａのどの場所に乗っても安定して作業を行うことができる。
【００２５】
また、第１当接支持部２１の当接面２１ａ及び第２当接支持部３１の当接面３１ａと第１踏板部２０ａ及び第２踏板部３０ａとのなす角αが、脚立９０の昇降面の地面に対する角度βと略同じとなっているため、第１踏板部２０ａ及び第２踏板部３０ａは略水平に保たれる。そのため、作業者が滑り落ちにくく、安定した姿勢で作業を行うことができる。
【００２６】
また、第１踏台２０及び第２踏台３０は長手方向に相互に摺動可能で、それぞれの端部に設けられた第１当接支持部２１及び第２当接支持部３１の間の距離が調節できるようになっており、図４に示すように、上段側と下段側で支柱９１間の距離が異なるような脚立９０において、異なる長さの踏桟９２に対しても取り付けることができる。
【００２７】
また、本実施形態では図３に示すように断面形状が略矩形の踏桟９２を有する脚立９０に踏桟幅拡張器具１０を取り付ける例を示したが、踏桟幅拡張器具１０は第１長手方向開口部２０ｄ及び第２長手方向開口部３０ｄを介して第１踏板部２０ａ及び第２踏板部３０ａを踏桟の上に載置するようにして踏桟に取り付けられ、また、第１踏板部２０ａ及び第１後側板部２０ｂ２及び第１後突片部２０ｃ２、並びに第２踏板部３０ａ及び第２後側板部３０ｂ２及び第２後突片部３０ｃ２が略コ字状のフック状になっており、そのフック状の部分を踏桟に横から引っ掛けて掛止するような形で取り付けられるため、踏桟の断面形状は略矩形のものだけでなく、フック状の部分が掛止できるようなその他の略円形等の断面形状の踏桟にも取り付けることができる。
【００２８】
ここまで踏桟幅拡張器具１０を脚立９０に取り付けた例を示してきたが、梯子や三脚等のその他の２本の支柱の間に複数の踏桟を有する昇降器具に対しても同様に取り付けることができる。
【００２９】
上記はあくまで本発明に係る踏桟幅拡張器具の一実施形態を示したものであるため、本発明の思想を逸脱しない範囲で適宜変更可能である。
【符号の説明】
【００３０】
１０      踏桟幅拡張器具
２０      第１踏台
２０ａ    第１踏板部
２０ｂ１  第１前側板部
２０ｂ２  第１後側板部
２０ｃ１  第１前突片部
２０ｃ２  第１後突片部
２０ｄ    第１長手方向開口部
２１      第１当接支持部
３０      第２踏台
３０ａ    第２踏板部
３０ｂ１  第２前側板部
３０ｂ２  第２後側板部
３０ｃ１  第２前突片部
３０ｃ２  第２後突片部
３０ｄ    第２長手方向開口部
３１      第２当接支持部
４０      摺動係止手段
９０      脚立（昇降器具）
９１      支柱
９２      踏桟
【図１】
2019078110.tif 000003
【図２】
2019078110.tif 000004
【図３】
2019078110.tif 000005
【図４】
2019078110.tif 000006